(57)【要約】【課題】泥棒がスリーブを直接に取り出すことができなく、使用者は、スリーブを取出して使用し、又は使用されたスリーブを元位置に戻って盗難防止機能を起動することができ、盗難防止および重複使用可能などの効果を持つ。【解決手段】受け素子と、被挿通素子と、挿通素子と、弾性素子と、定位素子とから構成された盗難防止機能付きスリーブ吊り枠の構造において、定位素子が挿通素子を押して移動するときに、挿通素子の周面が被挿通素子の係り湾折部を押して変形し、そうすると、係り湾折部の係り凸部がスリーブの溝に定位される。【選択図】  図１
0003111590.tif 000002
【実用新案登録請求の範囲】
【請求項１】
受け素子と、被挿通素子と、挿通素子と、弾性素子と、定位素子とから構成された盗難防止機能付きスリーブ吊り枠の構造において、
前記受け素子は、摺動溝が軸方向に設けてあり、前記摺動溝の対向する壁面に案内溝が設けてあり、
前記被挿通素子は、本体とヘッド部が一体に連結され、本体の下端に収容空間が設けてあり、前記収容空間の内部には突起が設けてあり、本体の受け素子にある案内溝に対応する箇所では案内レールが設けてあり、スリーブを嵌めるためのヘッド部は、外力を受けて変形する係り湾折部が周面に設けてあり、前記係り湾折部のスリーブにある溝に対応する箇所では円弧状の係り凸部が設けてあり、前記係り湾折部の周縁には狭い溝が設けてあり、
前記挿通素子は、被挿通素子の収容空間内に移動自在に取付けられ、被挿通素子にある突起に対応する箇所では溝が設けてあり、前記挿通素子の下端には受け素子にある摺動溝の底面に対応する付勢ヘッドが設けてあり、
前記弾性素子は、一端が挿通素子にある溝内に取付けられ、他端が被挿通素子にある突起に嵌められ、
前記定位素子は、受け素子にある摺動溝と挿通素子にある付勢ヘッドの間に挿入し設けてあることを特徴とする、
盗難防止機能付きスリーブ吊り枠の構造。
【請求項２】
前記受け素子の一端には係り凸部が設けてあり、前記係り凸部の受け素子から遠ざかった一端には円柱状の突起が形成され、他端が前記係り凸部に応じて窪み部が形成され、係り凸部と窪み部とにより各受け素子が互いに連接することを特徴とする、請求項１に記載の盗難防止機能付きスリーブ吊り枠の構造。
【請求項３】
前記受け素子の一端には、片状の吊り用凸部が設けてあり、且つ前記吊り用凸部のなかには吊り孔が開設してあることを特徴とする、請求項１に記載の盗難防止機能付きスリーブ吊り枠の構造。
【請求項４】
前記被挿通素子の本体には受け素子に延びた湾折部が設けてあり、前記湾折部には表示ラベルが取付けられたことを特徴とする、請求項１に記載の盗難防止機能付きスリーブ吊り枠の構造。
【請求項５】
前記定位素子の端面には、前記定位素子が受け素子にある摺動溝と挿通素子にある付勢ヘッドの間に容易に挿入できるようにした案内円弧面が設けてあることを特徴とする、請求項１に記載の盗難防止機能付きスリーブ吊り枠の構造。
【考案の詳細な説明】
【技術分野】
【０００１】
本考案は、盗難防止機能付きスリーブ吊り枠の構造に係り、特に、展示効果と、重複に収納できる効果とを有する盗難防止機能付きスリーブ吊り枠の構造に関するものである。
【背景技術】
【０００２】
例えば、２００３年６月２４日に米国特許ＵＳ  ６５８１８９４  Ｂ１号公報に開示した盗難防止機能付き工具吊り枠が提案された。
【考案の開示】
【考案が解決しようとする課題】
【０００３】
本考案の主な目的は、泥棒がスリーブを直接に取り出すことができない盗難防止機能付きスリーブ吊り枠の構造を提供する。
【０００４】
本考案の次の目的は、使用者は、スリーブを取出して使用し、又は使用されたスリーブを元位置に戻って盗難防止機能を起動することができ、盗難防止および重複使用可能などの効果を持つ盗難防止機能付きスリーブ吊り枠の構造を提供する。
【課題を解決するための手段】
【０００５】
上記目的を達成するためになされた本願の第一考案は、受け素子と、被挿通素子と、挿通素子と、弾性素子と、定位素子とから構成された盗難防止機能付きスリーブ吊り枠の構造において、前記受け素子は、摺動溝が軸方向に設けてあり、前記摺動溝の対向する壁面に案内溝が設けてあり、前記被挿通素子は、本体とヘッド部が一体に連結され、本体の下端に収容空間が設けてあり、前記収容空間の内部には突起が設けてあり、本体の受け素子にある案内溝に対応する箇所では案内レールが設けてあり、スリーブを嵌めるためのヘッド部は、外力を受けて変形する係り湾折部が周面に設けてあり、前記係り湾折部のスリーブにある溝に対応する箇所では円弧状の係り凸部が設けてあり、前記係り湾折部の周縁には狭い溝が設けてあり、前記挿通素子は、被挿通素子の収容空間内に移動自在に取付けられ、被挿通素子にある突起に対応する箇所では溝が設けてあり、前記挿通素子の下端には受け素子にある摺動溝の底面に対応する付勢ヘッドが設けてあり、前記弾性素子は、一端が挿通素子にある溝内に取付けられ、他端が被挿通素子にある突起に嵌められ、前記定位素子は、受け素子にある摺動溝と挿通素子にある付勢ヘッドの間に挿入し設けてあることを特徴とする盗難防止機能付きスリーブ吊り枠の構造であることを要旨としている。
【０００６】
本願の第二考案では、前記受け素子の一端には係り凸部が設けてあり、前記係り凸部の受け素子から遠ざかった一端には円柱状の突起が形成され、他端が前記係り凸部に応じて窪み部が形成され、係り凸部と窪み部とにより各受け素子が互いに連接することを特徴とする本願の第一考案に記載の盗難防止機能付きスリーブ吊り枠の構造であることを要旨としている。
【０００７】
本願の第三考案では、前記受け素子の一端には、片状の吊り用凸部が設けてあり、且つ前記吊り用凸部のなかには吊り孔が開設してあることを特徴とする本願の第一考案に記載の盗難防止機能付きスリーブ吊り枠の構造であることを要旨としている。
【０００８】
本願の第四考案では、前記被挿通素子の本体には受け素子に延びた湾折部が設けてあり、前記湾折部には表示ラベルが取付けられたことを特徴とする本願の第一考案に記載の盗難防止機能付きスリーブ吊り枠の構造であることを要旨としている。
【０００９】
本願の第五考案では、前記定位素子の端面には、前記定位素子が受け素子にある摺動溝と挿通素子にある付勢ヘッドの間に容易に挿入できるようにした案内円弧面が設けてあることを特徴とする本願の第一考案に記載の盗難防止機能付きスリーブ吊り枠の構造であることを要旨としている。
【考案の効果】
【００１０】
本考案に係る盗難防止機能付きスリーブ吊り枠の構造によれば、次のような効果がある。
（１）泥棒がスリーブを直接に取り出すことができない。
【００１１】
（２）使用者は、スリーブを取出して使用し、又は使用されたスリーブを元位置に戻って盗難防止機能を起動することができ、盗難防止および重複使用可能などの効果を持つ。
【考案を実施するための最良の形態】
【００１２】
以下、添付図面を参照して本考案の好適な実施の形態を詳細に説明する。
【実施例１】
【００１３】
まず、図１を参照する。本考案に係る盗難防止機能付きスリーブ吊り枠の構造は、受け素子１０と、被挿通素子２０と、挿通素子３０と、弾性素子４０と、定位素子５０とから構成されたものである。
【００１４】
前記受け素子１０は、断面形状がコの字形を呈する摺動溝１１が軸方向に設けてあり、摺動溝１１の両端が開口状を呈し、摺動溝１１の対向する壁面に案内溝１２が設けてあり、前記受け素子１０の一端には二つの係り凸部１３が設けてあり、前記係り凸部１３の受け素子１０から遠ざかった一端には円柱状の突起が形成され、他端が前記係り凸部１３に応じて二つの窪み部１４が形成され、係り凸部１３と窪み部１４とにより各受け素子１０が互いに連接し、また、前記受け素子１０の一端には、片状の吊り用凸部１５が設けてあり、且つ前記吊り用凸部１５のなかには吊り孔１７と貫通孔１６とが開設してある。
【００１５】
前記被挿通素子２０は、本体２１とヘッド部２２が一体に連結され、本体２１が受け素子１０にある案内溝１２に応じて案内レール２１１が設けてあり、本体２１には受け素子１０の外側に延びた湾折部２１２が設けてあり、本体２１の底面にはヘッド部２２を貫通しない収容空間２１３が設けてあり、且つ収容空間２１３の底面には突起２１４が設けてあり、ヘッド部２２の対向側には外力を受けると変形する係り湾折部２２１が設けてあり、係り湾折部２２１は円弧状の係り凸部２２２が設けてあり、係り湾折部２２１の周縁には狭い溝２２３が設けてあり、なお、ヘッド部２２の上面にはｍ字形を呈する制限部２２４が設けてある。
【００１６】
前記挿通素子３０は、段階状を呈し、被挿通素子２０の収容空間２１３内に移動自在に取付けられ、被挿通素子２０にある突起２１４に対応する箇所では溝３１が設けてあり、挿通素子３０の下端には受け素子１０にある摺動溝１１の底面に対応する付勢ヘッド３２が設けてある。
【００１７】
前記弾性素子４０は、本実施例ではバネであり、一端が挿通素子３０にある溝３１内に取付けられ、他端が被挿通素子２０にある突起２１４に嵌められる。
【００１８】
前記定位素子５０は、一端に案内円弧面５１が設けてあることにより、定位素子５０が受け素子１０にある摺動溝１１と被挿通素子２０にある本体２１の下端の間に挿入し、他端は受け素子１０にある吊り用凸部１５に応じて半円形の柄部５２が設けてあり、受け素子１０にある貫通孔１６と吊り孔１７とに応じて貫通孔５３と貫通孔５４とが開設してあり、定位素子５０にある貫通孔５３と、受け素子１０にある貫通孔１６とに係り素子５５を挿入し設けることにより、定位素子５０と受け素子１０が定位され、定位素子５０の表面には長さを測るための目盛が設けてある。
【００１９】
また、図１と図２を参照して本考案の作動方式および機能を詳細に説明する。受け素子１０にある摺動溝１１に案内溝１２が設けてあり、且つ被挿通素子２０には受け素子１０の案内溝１２に応じて案内レール２１１が設けてあることにより、被挿通素子２０が摺動溝１１で摺動でき、また、盗難防止機能の起動方法は、図３と図４に示すように、スリーブ６０の連接孔６１を被挿通素子２０にあるヘッド部２２に嵌めて、案内円弧面５１により定位素子５０の一端が受け素子１０にある摺動溝１１と被挿通素子２０にある本体２１の下端の間に挿入し、また、定位素子５０が案内円弧面５１で挿通素子３０にある付勢ヘッド３２を押すことにより、挿通素子３０が定位素子５０の案内円弧面５１によって上へ移動され、挿通素子３０が収容空間２１３内に移動するときに、挿通素子３０は弾性素子４０を被挿通素子２０の突起２１４へ圧縮し、且つ挿通素子３０の周面が被挿通素子２０の係り湾折部２２１の裏面に当接して係り湾折部２２１が外力を受けて変形し、係り凸部２２２がスリーブ６０にある溝６２に定位され、そうすると、スリーブ６０に対する盗難防止機能の起動が完成し、すなわち、泥棒がスリーブ６０を取出すことができなくなる。
【００２０】
また、本考案の盗難防止機能の解除方法は、定位素子５０を取出して、弾性素子４０が弾力によって挿通素子３０が元位置に戻り、挿通素子３０が係り湾折部２２１の裏面に当接しなく、係り湾折部２２１が弾力によって元位置に戻り、且つ係り凸部２２２がスリーブ６０にある溝６２から離れたと、スリーブ６０を取出すことができる。
【００２１】
使用者は定位素子５０の脱着により、スリーブ６０に対する盗難防止機能の起動または解除が完成でき、だから、使用者は、スリーブを取出して使用し、又は使用されたスリーブを元位置に戻って盗難防止機能を起動することができ、盗難防止および重複使用可能などの効果を持つ。
【００２２】
本考案は、受け素子１０の端部に係り凸部１３と係り凹部１４とが設けてあることにより、各受け素子１０が係り凸部１３と係り凹部１４とによって連接することができ、且つ使用者の必要によって数量を増減することができる。
【実施例２】
【００２３】
図５は本考案の実施例２であり、被挿通素子２０の湾折部２１２には表示ラベル７０が取付けてあり、被挿通素子２０の湾折部２１２では係合溝２１５が設けてあり、表示ラベル７０の係合溝２１５に対応する箇所では係り突起７１が設けてあり、表示ラベル７０は係り突起７１で被挿通素子２０のにある係合溝２１５に係られ、なお、表示ラベル７０の表面にはメーカ基本資料やスリーブ寸法を表示することができ、受け素子１０にある吊り孔１７と、定位素子５０にある貫通孔５４とにネジ５６を挿通すると、本考案は任意箇所に設置することができる。
【実施例３】
【００２４】
図６と図７に示すのは本考案の実施例３であり、受け素子１０の上ではケース体８０が取付けられ、受け素子１０の底部には結合用孔１８が開設してあり、なお、ケース体８０の結合用孔１８に対応する箇所では連結孔８１が開設してあり、結合用孔１８と連結孔８１とに連接部材８２（本実施例では、連接部材８２が係り素子であり、もちろん、連接部材８２がネジであってもいい）を挿入し、なお、ケース体８０の内部には追歯螺旋回しＡを収容するための収容空間８３を有し、且つ収容空間８３の開口の上縁には蓋８４が枢着してあり、前記蓋８４が収容空間８３の開口をカバーし、なお、ケース体８０の上方には吊り孔８５が開設してある。
【実施例４】
【００２５】
図８に示すのは本考案の実施例４であり、受け素子１０の底部の周縁に逆段階状のスライド溝１９が成形してあり、ケース体８０はレール８６によって受け素子１０にあるスライド溝１９で摺動する。
【実施例５】
【００２６】
図９に示すのは本考案の実施例５であり、ケース体８０が受け素子１０の底部と一体に成形され、且つケース体８０は開放な収容空間８３を有し、前記収容空間８３の内部には二つの定位用挟み片８７が設けてあり、追歯螺旋回しＡは二つの定位用挟み片８７によって収容空間８３内に定位される。
【図面の簡単な説明】
【００２７】
【図１】本考案の分解斜視図である。
【図２】本考案の組合状態の断面図である。
【図３】本考案の盗難防止機能が起動していない状態を示す概略図である。
【図４】本考案の盗難防止機能が起動した状態を示す概略図である。
【図５】本考案に係る実施例２の分解斜視図である。
【図６】本考案に係る実施例３の分解斜視図である。
【図７】本考案に係る実施例３の組合状態の断面図である。
【図８】本考案に係る実施例４の分解斜視図である。
【図９】本考案に係る実施例５の組合状態の断面図である。
【符号の説明】
【００２８】
１０      受け素子                １１      摺動溝
１２      案内溝                  １３      係り凸部
１４      係り凹部                １５      吊り用凸部
１６      貫通孔                  １７      吊り孔
１８      結合用孔                １９      スライド溝
２０      被挿通素子              ２１      本体
２１１    案内レール              ２１２    湾折部
２１３    収容空間                ２１４    突起
２１５    係合溝                  ２２      ヘッド部
２２１    係り湾折部              ２２２    係り凸部
２２３    狭い溝                  ２２４    制限部
３０      挿通素子                ３１      溝
３２      付勢ヘッド              ４０      弾性素子
５０      定位素子                ５１      案内円弧面
５２      柄部                    ５３      貫通孔
５４      貫通孔                  ５５      係り素子
６０      スリーブ                ６１      連接孔
６２      溝                      Ａ        追歯螺旋回し
７０      表示ラベル              ７１      係り突起
８０      ケース体                ８１      連結孔
８２      連接部材                ８３      収容空間
８４      蓋                      ８５      吊り孔
８６      レール                  ８７      定位用挟み片
【図１】
0003111590.tif 000003
【図２】
0003111590.tif 000004
【図３】
0003111590.tif 000005
【図４】
0003111590.tif 000006
【図５】
0003111590.tif 000007
【図６】
0003111590.tif 000008
【図７】
0003111590.tif 000009
【図８】
0003111590.tif 000010
【図９】
0003111590.tif 000011